(57)【要約】【課題】着用時からはローションが皮膚に付着せずに、排尿時に浸み出して来たローションがかゆみやカブレを軽減するようにした吸収性物品を提供する。【解決手段】吸収性物品の透液性表面材下の吸収体を包んでいるキャリアシート防水材の吸収体側の面、トランスファーシート、吸収体のいずれかにローションを塗工したことを特徴とする吸収性物品。【選択図】　図３
2004089322.tif 000002
【特許請求の範囲】
【請求項１】
吸収性物品の表面材やギャザーシート等の着用者の皮膚に直接に接触する面にはローション加工せずに着用者の皮膚に直接に接触しない面にローション加工したことを特徴とする吸収性物品。
【請求項２】
吸収性物品の着用時からはローションが皮膚に付着しないようにした請求項１記載の吸収性物品。
【請求項３】
吸収性物品の着用後、排尿時に表面材上に滲み出して来たローションが皮膚のカブレを軽減するようにした請求項１または２記載の吸収性物品。
【請求項４】
吸収性物品が透液性表面材、吸収体および防水材からなり、吸収体を包んでいるキャリアシートおよび／または表面材と吸収体間に介装されるトランスファーシートを有しまたは有しない請求項１から３までのいずれか１項記載の吸収性物品。
【請求項５】
ローションが吸収体を包んでいるキャリアシートの一部又は全部の面に塗工されている請求項１から４までのいずれか１項記載の吸収性物品。
【請求項６】
ローションが防水材の吸収体側の面、トランスファーシート、吸収体のいずれかの一部又は全部の面に塗工されている請求項１から５までのいずれか１項記載の吸収性物品。
【請求項７】
ローションに肌荒れ防止剤、消臭剤および抗菌剤のいずれか１種以上を添加した請求項１から６までのいずれか１項記載の吸収性物品。
【請求項８】
かゆみやカブレの軽減効果に併せて抗菌効果および／または消臭効果を付与した請求項１から７までのいずれか１項記載の吸収性物品。
【請求項９】
ローション成分がグリチルリチン酸、クエン酸またはオウバク、ヨモギ、ハマメリス、ユキノシタ等の植物抽出物のいずれか１種以上を配合したものである請求項１から８までのいずれか１項記載の吸収性物品。
【請求項１０】
ローション成分がグリセリン等の多糖類を更に配合したものである請求項９記載の吸収性物品。
【請求項１１】
吸収体がフラフパルプおよび／または高吸水性ポリマー（ＳＡＰ）を含んでいる請求項１から１０までのいずれか１項記載の吸収性物品。
【請求項１２】
吸収性物品は吸収体の裏面側に防水材シートを備えている請求項１から１１までのいずれか１項記載の吸収性物品。
【請求項１３】
吸収性物品がテープタイプおむつ、パンツタイプおむつ、尿取りパッド、または失禁パッド、生理用品、パンティライナーである請求項１から１２までのいずれか１項記載の吸収性物品。
【発明の詳細な説明】
【０００１】
【発明の属する技術分野】
本発明は着用時のかゆみやカブレを軽減することを目的とした吸収性物品に関する。
【０００２】
【従来の技術】
使い捨ておむつの多くがモレを防止するためにカバー材等で被っているためにムレ・カブレといった症状が見られる。それらの症状を和らげる為に表面材や立体ギャザーシートにローションを塗布することがある（特表平１０−５０９８９５、特表平１０−５０９８９６）。しかし、ローションを塗布した部位に長時間接触する状態にしておくと皮膚に対する刺激の累積等により、かゆみやカブレを引き起こすことがあった。
【０００３】
【発明が解決しようとする課題】
着用時からはローションが皮膚に付着せずに、排尿時に滲み出して来たローションがかゆみやカブレを軽減するようにした吸収性物品を提供する。
【０００４】
【課題を解決するための手段】
吸収性物品の透液性表面材下の吸収体を包んでいるキャリアシート、防水材の吸収体側の面、トランスファーシート、吸収体のいずれか１つまたは１つ以上の部材の一部の面又は全部の面にローションを塗工したことを特徴とする吸収性物品に関する。
キャリアシートにローションを塗工する場合、排尿時のローションの滲み出し速度を速くしたいときは表面材に接する直下のキャリアシートの部位にローションを塗工すればよく、同上の滲み出し速度を遅くしたいときはローションを吸収体側面または吸収体下面（防水材に接する面）の部位のキャリアシートに夫々塗工することができる。
【０００５】
本発明の吸収性物品によれば吸収性物品の表面材やギャザーシート等の着用者の皮膚に直接に接触する面にはローション加工せずに着用者の皮膚に直接に接触しない面にローション加工したので、着用時からローションが皮膚に付着せずに、排尿時に滲み出してきたローションがカブレを軽減する。その他、消臭剤、抗菌剤を適宜添加しても良い。
ローション成分としては、必須成分（主に肌荒れ防止剤）としてグリチルリチン酸、クエン酸やオウバク、ヨモギ、ハマメリス、ユキノシタ等の植物抽出物のいずれか１種以上を配合し付加成分として、グリセリン等の多糖類、消臭剤、抗菌剤のいずれか１種を配合する。
【０００６】
本発明の吸収性物品はテープタイプおむつ、パンツタイプおむつ、尿とりパッド、失禁用パッド、生理用品、パンティライナーその他すべての吸収性物品に適用可能である。
【０００７】
本発明は吸収性物品の着用時からはローションが皮膚に付着しないようにした吸収性物品および吸収性物品の着用後、排尿時に表面材上に滲み出して来たローションが皮膚のカブレを軽減するようにした吸収性物品に関する。
【０００８】
また本発明はローションに肌荒れ防止剤、消臭剤および抗菌剤のいずれか１種以上を添加した吸収性物品およびかゆみやカブレの軽減効果に併せて抗菌効果および／または消臭効果を付与した吸収性物品に関する。
【０００９】
また本発明は吸収体がフラフパルプおよび／または高吸水性ポリマー（ＳＡＰ）を含んでいる吸収性物品および吸収体の裏面側に防水材シートを備えている吸収性物品に関する。
【００１０】
本発明の吸収性物品は液透過性の表面材、吸収体および防水材を基本構成とし、これに吸収体を包むキャリアシート、表面材と吸収体間に介装するトランスファーシート、表面材に形成するギャザーシート等のいずれか１つまたは２以上を必要に応じ備えたものを包含する。
【００１１】
【実施例】
以下に本発明の実施例を示すが、本発明はこれのみによって限定されるものではない。
【００１２】
［実施例１］
図１はテープタイプのおむつの展開平面を示し、その表側の立体ギャザー（ａ）（ａ）間に尿とりパッド（ｂ）が着脱可能に保持されている。（３）はテープ留め用テープを示す。
【００１３】
図２は上記の尿とりパッド（ｂ）の模式的断面図を示し、基本的には透液性の表面材（１）、フラフパルプおよび／またはＳＡＰ（高吸液性ポリマー）からなる吸収体（２）および不透液性の防水材（３）とからなり、表面材（１）と吸収体（２）の間にはトランスファーシート（９）が介装されている。上記の吸収体（２）は図示のようにティシュペーパーその他のキャリアシート（４）で包まれている。キャリアシート（４）による吸収体（２）の包被態様は任意で、図示では長尺のキャリアシートを吸収体（２）の長手方向に沿って下面（防水材側の面）および前後側面（背側および腹側）に添わせ次いで上面（表面材側の面）に添わせてこの上面で両端面を重ね合せ接合している。またキャリアシートで吸収体を巾方向に添って包被してもよい。
【００１４】
本実施例ではこのキャリアシート（４）にローションを塗工するので、着用時からはローションは着用者の皮膚に付着することなく、排尿時に表面材を透してキャリアシートから滲み出して来たローションが始めて着用者の皮膚に接触し皮膚のかゆみやカブレを軽減する。
このローションにローション成分の他、消臭剤、抗菌剤を配合することにより抗菌効果および／または消臭効果も期することができる。
【００１５】
［実施例２］
図３は本発明の吸収性物品において着用時からはローションが皮膚に付着せずに、排尿時に滲み出して来たローションが始めて皮膚に接触しカブレを軽減する態様を示したものである。
図３の（１）着用時にはローション成分（６）は表面材（１）の下の吸収体（２）を包むキャリアシート（４）に留まっているため着用者（７）の皮膚には接触しない。
図３の（２）排尿時には排泄物（８）が表面材（１）を透して吸収体（２）に至るに伴い、キャリアシート（４）に塗工されたローション成分（６）は表面材（１）を透して表面材（１）上に逆滲出する。
図３の（３）は排泄物（８）が吸収体（２）に吸収された後の状態を示し表面材（１）上には尿成分（５）とローション成分（６）とが共存し、着用者の皮膚のカブレやかゆみを軽減する。
【００１６】
【発明の効果】
本発明によれば排泄後にローション成分が始めて着用者の皮膚に接触することとなるため、必要時にローション成分が効果的に作用すると共に成分自体の皮膚刺激を最小限とすることができ、かゆみやカブレの軽減効果が効果的に達成される。
また上記のローション効果と共に抗菌効果や消臭効果も併せて付与することができ有利である。
【図面の簡単な説明】
【図１】テープ留めタイプのおむつの展開平面斜視図である。
【図２】尿とりパッドの模式的断面図である。
【図３】吸収性物品のローション成分が排尿時以降に始めて皮膚に接触することになる態様を模式断面で示した説明図であって（１）は着用時、（２）は排尿時、（３）は吸収後の説明図である。
【符号の説明】
ａ…立体ギャザー
ｂ…尿とりパッド
１…表面材
２…吸収体
３…防水材
４…キャリアシート
５…尿成分
６…ローション成分
７…着用者
８…排泄物
９…トラスファーシート
【図１】
2004089322.tif 000003
【図２】
2004089322.tif 000004
【図３】
2004089322.tif 000005